(57)【要約】無線ネットワークのネットワーク装置においてプロトコルデータユニットを処理するための方法及び装置が提供される。このソリューションにおいて、異なる論理接続に対応するデータを同じプロトコルデータユニットで運ぶことができる。その結果、データに関係ないシステムにおける情報の処理のオーバーヘッド、特に、ＭＡＣヘッダー及びサブヘッダーのオーバーヘッドが低減される。
2011527535.tif 000002
【特許請求の範囲】
【請求項１】
無線ネットワークのネットワーク装置においてプロトコルデータユニットを構成するための方法であって、
ａ．同相手方装置に送信すべき異なる論理接続のデータを現在のプロトコルデータユニットに割り当てるかどうかを判定するステップ、
ｂ．前記同相手方装置に送信すべき異なる論理接続の前記データが前記現在のデータプロトコルユニットに割り当てられる必要がある場合、前記同相手方装置に送信すべき異なる論理接続の前記データ、及び前記論理接続を示すための接続識別子情報を前記現在のプロトコルデータユニットにパッケージするステップ
を備える方法。
【請求項２】
請求項１記載の方法であって、前記異なる論理接続が第１の論理接続及び第２の論理接続を備え、
ステップａの前に、前記方法が
Ｉ．バーストで運ばれる少なくとも１つのプロトコルデータユニットの長さ情報を取得するステップをさらに備え、
前記ステップが
ａ１．前記現在のプロトコルデータユニットの長さのマージン−割り当てるべき前記第１の論理接続のデータ長が予め定められた値を超えるかどうかを判定するステップ、
ａ２．前記現在のプロトコルデータユニットの長さの前記マージン−割り当てるべき前記第１の論理接続のデータ長が前記予め定められた値を超える場合、割り当てるべき前記第１の論理接続の前記データ、及び前記第２の論理接続のデータの少なくとも一部を前記現在のプロトコルデータユニットに割り当てることを決定するステップ
をさらに備える方法。
【請求項３】
請求項２記載の方法であって、前記ステップＩが
前記バーストによって運ばれるデータの所与の値及び合計長さに基づいて、前記バーストで運ばれる各プロトコルデータユニットの前記長さ情報を決定するステップを備え、
前記バーストにおける第１のＭ個のプロトコルデータユニットの長さ情報が前記所与の値として決定され、前記バーストにおける最後のＮ個のプロトコルデータユニットの長さ情報がＯとして決定され、Ｏ、Ｍ、及びＮが以下の式によって提供され、
【数１】
2011527535.tif 000007
【数２】
2011527535.tif 000008
Ｏ＝Ｔ−Ｓ×Ｍ
Ｔが前記バーストで運ばれたデータの前記合計長さであり、Ｓが前記所与の値であり、
【数３】
2011527535.tif 000009
が切り上げ丸め処理のファンクタであり、
【数４】
2011527535.tif 000010
が切り下げ丸め処理のファンクタである、
方法。
【請求項４】
請求項２又は３記載の方法であって、前記ネットワーク装置が基地局であり、前記バーストが移動局に送信すべきデータを運ぶためのダウンリンクバーストであり、前記現在のプロトコルデータユニットが前記移動局の特徴情報を備えていない方法。
【請求項５】
請求項２又は３記載の方法であって、前記ネットワーク装置が基地局であり、前記バーストが少なくとも１つの移動局に送信すべきデータを運ぶためのダウンリンクバーストであり、
前記ステップｂが
前記現在のプロトコルデータが対応する前記移動局の特徴情報を前記現在のプロトコルデータユニットにパッケージするステップをさらに備え、
前記接続識別子情報が、前記移動局の前記特徴情報に関連付けられる、対応するデータの論理接続を示すためのアシスタント指示情報を備える、
方法。
【請求項６】
請求項２又は３記載の方法であって、
前記ネットワーク装置が移動局であり、前記バーストがアップリンクバーストであり、前記現在のプロトコルデータユニットが前記移動局の特徴情報を備えていない方法。
【請求項７】
請求項２又は３に記載の方法であって、前記ネットワーク装置が移動局であり、前記バーストがアップリンクバーストであり、
前記ステップｂが
前記移動局の前記特徴情報を前記現在のプロトコルデータユニットにパッケージするステップをさらに備え、
前記接続識別子情報が、前記移動局の前記特徴情報に関連付けられる、対応するデータの論理接続を示すためのアシスタント指示情報を備える、
方法。
【請求項８】
請求項１乃至７のいずれか１項に記載の方法であって、前記無線ネットワークがＩＥＥＥ８０２．１６プロトコルに基づいて無線ネットワークを備える方法。
【請求項９】
無線ネットワークのネットワーク装置において受信したバーストから復調された受信データを構文解析するための方法であって、
Ａ．前記受信データをプロトコルデータユニットに分解するステップ、
Ｂ．前記データパッケージの長さ情報に従って、前記プロトコルデータユニットにおけるデータパッケージを識別するステップ、
Ｃ．前記データパッケージの接続識別子情報に従って、前記データパッケージを対応する論理接続にマッピングするステップ
を備える方法。
【請求項１０】
請求項９記載の方法であって、
前記ステップＣが
移動局の特徴情報、及び前記プロトコルデータユニットにおける前記データパッケージの前記接続識別子情報に従って、プロトコルデータユニットにおけるデータパッケージを対応する論理接続にマッピングするステップをさらに備え、
前記接続識別子情報が、前記移動局の前記特徴情報に関連付けられる、対応するデータの論理接続を示すためのアシスタント指示情報を備える、
方法。
【請求項１１】
請求項９又は１０記載の方法であって、前記ステップＡが
ｉ．所与の値を取得するステップ、
ｉｉ．前記受信データの合計長さが前記所与の値以上である場合、前記受信データをセグメントに分割し、前記セグメントをプロトコルデータユニットとして認識するステップであって、最後のセグメントの長さが前記所与の値以下であり、他のセグメントの長さが前記所与の値に等しい、ステップ、又は
ｉｉ’．前記受信データの合計長さが前記所与の値未満である場合、前記受信データを１つのプロトコルデータユニットとして認識するステップ
をさらに備える方法。
【請求項１２】
請求項９乃至１１のいずれか１項に記載の方法であって、前記無線ネットワークがＩＥＥＥ８０２．１６プロトコルに基づいて無線ネットワークを備える方法。
【請求項１３】
無線ネットワークのネットワーク装置においてプロトコルデータユニットを構成するためのデータ構成装置であって、
同相手方装置に送信すべき異なる論理接続のデータを現在のプロトコルデータユニットに割り当てるかどうかを判定するための第１の判定手段、
前記同相手方装置に送信すべき異なる論理接続の前記データが前記現在のデータプロトコルユニットに割り当てられる必要がある場合、前記同相手方装置に送信すべき異なる論理接続の前記データ、及び前記論理接続を示すための接続識別子情報を前記現在のプロトコルデータユニットにパッケージするためのデータパッケージ手段
を備えるデータ構成装置。
【請求項１４】
請求項１３記載のデータ構成装置であって、前記異なる論理接続が第１の論理接続及び第２の論理接続を備え、
前記データ構成装置が
バーストで運ばれる少なくとも１つのプロトコルデータユニットの長さ情報を取得するための第１の取得手段をさらに備え、
前記第１の判定手段が
前記現在のプロトコルデータユニットの長さのマージン−割り当てるべき前記第１の論理接続のデータ長が予め定められた値を超えるかどうかを判定するための第２の判定手段、
前記現在のプロトコルデータユニットの長さの前記マージン−割り当てるべき前記第１の論理接続のデータ長が前記予め定められた値を超える場合、割り当てるべき前記第１の論理接続の前記データ、及び前記第２の論理接続のデータの少なくとも一部を前記現在のプロトコルデータユニットに割り当てることを決定するための第１の決定手段
をさらに備える、
データ構成装置。
【請求項１５】
請求項１４記載のデータ構成装置であって、前記第１の取得手段が、前記バーストによって運ばれるデータの所与の値及び合計長さに基づいて、前記バーストで運ばれる各プロトコルデータユニットの前記長さ情報を決定するためにさらに使用され、
前記バーストにおける第１のＭ個のプロトコルデータユニットの長さ情報が前記所与の値として決定され、前記バーストにおける最後のＮ個のプロトコルデータユニットの長さ情報がＯとして決定され、Ｏ、Ｍ、及びＮが以下の式によって提供され、
【数５】
2011527535.tif 000011
【数６】
2011527535.tif 000012
Ｏ＝Ｔ−Ｓ×Ｍ
Ｔが前記バーストで運ばれたデータの前記合計長さであり、Ｓが前記所与の値であり、
【数７】
2011527535.tif 000013
が切り上げ丸め処理のファンクタであり、
【数８】
2011527535.tif 000014
が切り下げ丸め処理のファンクタである、
データ構成装置。
【請求項１６】
請求項１４又は１５記載のデータ構成装置であって、前記ネットワーク装置が基地局であり、前記バーストが移動局に送信すべきデータを運ぶためのダウンリンクバーストであり、前記現在のプロトコルデータユニットが前記移動局の特徴情報を備えていないデータ構成装置。
【請求項１７】
請求項１４又は１５記載のデータ構成装置であって、前記ネットワーク装置が基地局であり、前記バーストが少なくとも１つの移動局に送信すべきデータを運ぶためのダウンリンクバーストであり、
前記データパッケージ手段が、前記現在のプロトコルデータが対応する前記移動局の特徴情報を前記現在のプロトコルデータユニットにパッケージするためにさらに使用され、
前記接続識別子情報が、前記移動局の前記特徴情報に関連付けられる、対応するデータの論理接続を示すためのアシスタント指示情報を備える、
データ構成装置。
【請求項１８】
請求項１４又は１５記載のデータ構成装置であって、前記ネットワーク装置が移動局であり、前記バーストがアップリンクバーストであり、前記現在のプロトコルデータユニットが前記移動局の特徴情報を備えていないデータ構成装置。
【請求項１９】
請求項１４又は１５記載のデータ構成装置であって、前記ネットワーク装置が移動局であり、前記バーストがアップリンクバーストであり、
前記データパッケージ手段が、前記移動局の前記特徴情報を前記現在のプロトコルデータユニットにパッケージするためにさらに使用され、
前記接続識別子情報が、前記移動局の前記特徴情報に関連付けられる、対応するデータの論理接続を示すためのアシスタント指示情報を備える、
データ構成装置。
【請求項２０】
請求項１３乃至１９のいずれか１項に記載のデータ構成装置であって、前記無線ネットワークがＩＥＥＥ８０２．１６プロトコルに基づいて無線ネットワークを備えるデータ構成装置。
【請求項２１】
無線ネットワークのネットワーク装置において、受信したバーストから復調された受信データを構文解析するためのデータ構文解析装置であって、
前記受信データをプロトコルデータユニットに分解するための第１の分解手段、
前記データパッケージの長さ情報に従って、前記プロトコルデータユニットにおけるデータパッケージを識別するためのデータパッケージ識別手段、
前記データパッケージの接続識別子情報に従って、前記データパッケージを対応する論理接続にマッピングするためのマッピング手段
を備えるデータ構文解析装置。
【請求項２２】
請求項２１記載のデータ構文解析装置であって、前記マッピング手段が、移動局の特徴情報、及び前記プロトコルデータユニットにおける前記データパッケージの前記接続識別子情報に従って、プロトコルデータユニットにおけるデータパッケージを対応する論理接続にマッピングするためにさらに使用され、
前記接続識別子情報が、前記移動局の前記特徴情報に関連付けられる、対応するデータの論理接続を示すためのアシスタント指示情報を備える、
データ構文解析装置。
【請求項２３】
請求項２１又は２２記載のデータ構文解析装置であって、前記第１の分解手段が
所与の値を取得するための第２の取得手段、
前記受信データの合計長さが前記所与の値以上である場合、前記受信データをセグメントに分割し、前記セグメントをプロトコルデータユニットとして認識するための第２の分解手段であって、最後のセグメントの長さが前記所与の値以下であり、他のセグメントの長さが前記所与の値に等しい、第２の分解手段をさらに備え、
前記受信データの合計長さが前記所与の値未満である場合、前記第２の分解手段が代わりに前記受信データを１つのプロトコルデータユニットとして認識するために使用される、データ構文解析装置。
【請求項２４】
請求項２１乃至２３のいずれか１項に記載のデータ解析装置であって、前記無線ネットワークがＩＥＥＥ８０２．１６プロトコルに基づいて無線ネットワークを備えるデータ解析装置。
【請求項２５】
プロトコルデータユニットを構成するための請求項１３乃至２０のいずれか１項に記載のデータ構成装置、及び／又は受信したバーストから復調された受信データを構文解析するための請求項２１乃至２４のいずれか１項に記載のデータ構文解析装置を備える無線ネットワークにおけるネットワーク装置。
【発明の詳細な説明】
【技術分野】
【０００１】
本発明は広帯域無線アクセス技術に関し、より詳細には、無線ネットワークにおいてプロトコルデータユニットを処理するための方法及び装置に関する。
【背景技術】
【０００２】
広帯域無線アクセスの開発を促進するために、ＩＥＥＥ８０２．１６ワーキンググループは、広帯域無線アクセス技術の開発を目的として１９９９年に電気電子技術者協会（ＩＥＥＥ）によって設立された。
【０００３】
ＩＥＥＥ８０２．１６−２００１の標準はＩＥＥＥによって２００１年１２月に正式に発行され、固定ネットワークの用途をより中心的に扱うＷＭＡＮの技術標準を提案している。
【０００４】
無線通信の進歩及び顧客からの要望により、移動性の特性のない広帯域無線アクセスサービスだけがより広い市場を得ることができる。ＩＥＥＥ８０２．１６ワーキンググループは、高速データ送信及び高速モビリティサポートの両方を可能にする広帯域無線アクセスソリューションを提示するために、ＩＥＥＥ８０２．１６ｅの標準バージョンを提案している。モバイル高速データ送信のサービスをサポートする機能により、ＩＥＥＥ８０２．１６ｅは、３Ｇ技術と競うための次世代広帯域無線アクセスの唯一の技術として考えられる。
【０００５】
ＭＡＣ層はＩＥＥＥ８０２．１６ｅにおいて次のように構築されている。即ち、各ＭＡＣプロトコルデータユニット（ＭＡＣ  ＰＤＵ）は３つのドメインから成り、各ＭＡＣ  ＰＤＵは４８ビットの長さのＭＡＣヘッダーを含み、ＭＡＣヘッダーの隣のドメインはペイロードであり、ペイロードにおけるデータ長は可変であり、ペイロードの長さが非ゼロである場合、ペイロードは０以上のＭＡＣサブヘッダー及びゼロ以上のＭＡＣサービスデータユニット（ＳＤＵ）及び／又はＳＤＵフラグメントから成り、任意選択で、ペイロードの後に３２ビットのＣＲＣがある。ＩＥＥＥ８０２．１６のＭＡＣにおいて、定義された２種類のヘッダーフォーマット、即ち、汎用ヘッダー（Generic header）及び帯域幅要求ヘッダーがある。帯域幅要求ＭＡＣ  ＰＤＵにペイロードがないという事実によって、汎用ＭＡＣ  ＰＤＵは帯域幅要求ＭＡＣ  ＰＤＵとは異なる。
【０００６】
汎用ＭＡＣヘッダーのフォーマットは、図１として示され、図中、４８ビット情報の書式設定及び使用が以下の通り列挙される。
ＨＴ、１ビット、ヘッダータイプを示すために使用される。０：ＭＡＣヘッダーは汎用ヘッダー。
ＥＣ、１ビット、暗号化制御を示すために使用される。０：ペイロードの暗号化無し。１：ペイロードの暗号化。
Ｔｙｐｅ、６ビット、ペイロードのタイプ及びそのサブヘッダーを示すために使用される。
ＥＳＦ、１ビット、拡張されたサブヘッダーフィールドとして使用される。
ＲＳＶ、１ビット、拡張の機能のための予備である。
ＣＩ、１ビット、ＣＲＣの存在を示すために使用される。
ＥＫＳ、２ビット、暗号鍵シーケンスとして使用される。
ＬＥＮ、１１ビット、ＭＡＣヘッダー及びＣＲＣを含むＭＡＣ  ＰＤＵの長さを示すために使用される。即ち、最大許容長は２０４８バイト。
ＣＩＤ、１６ビット、接続識別子として使用される。
ＨＣＳ、８ビット、ヘッダーにおけるエラーのチェックのために、ヘッダーチェックシーケンスとして使用される。
【０００７】
広帯域要求のＭＡＣヘッダーも４８ビット長であり、そのフォーマットは通常のＭＡＣヘッダーのものとあまり差はないが、そのフォーマットは１６ビットのＣＩＤ情報及び８ビットのＨＣＳ情報も含む。
【０００８】
ＩＥＥＥ８０２．１６ｅのＰＨＹは、伝送コンバージェンスサブレイヤ（ＴＣＬ）及び物理メディア依存サブレイヤ（ＰＭＤ）から成り、一般的に言及される物理レイヤは主にＰＭＤを指す。２つの二重通信の方法、即ちＴＤＤ及びＦＤＤは物理層において定義され、いずれもバーストデータ伝送フォーマットを使用し、この伝送機構は、自己適応型バーストサービスデータをサポートし、伝送パラメータ（変調モード、符号化モードなど）を動的に調整することができ、しかしＭＡＣレイヤとの協働を必要とする。
【０００９】
ＩＥＥＥ８０２．１６の物理層でサポートされる通常のフレーム長は５ｍｓであり、物理スロット（ＰＳ）は物理層内の最小の帯域幅管理単位である。ダウンリンク物理層は、物理層の同期のために導入されるプリアンブルで開始し、プリアンブルの後にフレーム制御ヘッダー（ＦＣＨ）が続き、これは、ＦＣＨのすぐ後の１つ以上のバーストのパラメータ及び長さを示すためのブロードキャスト制御情報を含み、バーストに含まれる中身は送信すべきデータである。
【００１０】
ＩＥＥＥ８０２．１６は、ＴＤＤ及びＦＤＤの両方のモードをサポートする。図２及び図３は、ＴＤＤモード及びＦＤＤモードがＩＥＥＥ８０２．１６で使用されるときのＤＬ／ＵＬ信号構造の図をそれぞれ示す。これは単に異なるバーストを例示的に区別するためのものであり、異なるバースト間でＴＤＭモードが採用されなければならないことを意味するのではなく、ＯＦＤＭ方法において、異なるバーストが同じスロットにおける異なるサブキャリアに対応してもよい。ＴＤＤモードを使用中、アップリンク及びダウンリンクのサブフレームを切り替えるために、送信／受信送信ギャップ（ＴＴＧ）及び受信／送信ギャップ（ＲＴＧ）がそれぞれ各フレームのＵＬ／ＤＬチャネルに挿入される。ダウンリンクでは、基地局は、ＴＤＭ又はＯＦＤＭＡの方法でデータを移動局（ＭＳ）に送信し、各ＭＳは、ブロードキャストを受信した後、ダウンリンク移動通信応用部（ＤＬ−ＭＡＰ）又はアップリンク移動通信応用部（ＵＬ−ＭＡＰ）を介してデータを受信又は送信すべきときを決定する。ブロードキャスト以外に、基地局は、ユニキャスト又はマルチキャストの方法で、１つのＭＳ又は１グループのＭＳへのメッセージの送信も行う。
【００１１】
現在、ＩＥＥＥ８０２．１６ｅのＭＡＣ  ＰＤＵの構造に以下の問題がある。
１）オーバーヘッドが高い。ＭＡＣヘッダーによって６バイトが占有され、その部分は除くことができる。
２）ただ１つのリンクからのＭＡＣサービスデータユニット（ＳＤＵ）が現在のＭＡＣ  ＰＤＵにカプセル化され、これはオーバーヘッドを増やす可能性がある。ＭＳが基地局とのＤＬ論理接続を２つ以上設定した場合、複数のＭＡＣ  ＰＤＵを構築し、ＭＡＣヘッダー及びＣＲＣの複数のグループを使用する必要があり、基地局は、それぞれのＭＡＣ  ＳＤＵを２つ以上のＤＬ論理接続に送信しなければならない。
３）一部の場合、受信側装置が各ＭＡＣ  ＰＤＵを探し出すことが難しいことがある。受信側バッファ内に２つの連続するＭＡＣ  ＰＤＵが存在するとき、直前のＭＡＣ  ＰＤＵのヘッダーに何らかのエラーが起こった場合、その中のＭＡＣ  ＰＤＵについての長さ情報は当てにはならず、従って、次のＭＡＣ  ＰＤＵを探し出すことが難しい。
【発明の概要】
【課題を解決するための手段】
【００１２】
従来技術における上記の技術的な問題を解決するために、無線ネットワークの装置においてプロトコルデータユニットを処理するためのソリューションを提供する。
【００１３】
本発明による第１の態様によれば、無線ネットワークのネットワーク装置においてプロトコルデータユニットを構成するための方法が提供され、この方法は、ａ．同相手方装置に送信すべき異なる論理接続のデータを現在のプロトコルデータユニットに割り当てるかどうかを判定するステップ、ｂ．同相手方装置に送信すべき異なる論理接続のデータが現在のデータプロトコルユニットに割り当てられる必要がある場合、同相手方装置に送信すべき異なる論理接続のデータ、及び論理接続を示すための接続識別子情報を現在のプロトコルデータユニットにパッケージするステップを備える。
【００１４】
本発明の第２の態様によれば、無線ネットワークのネットワーク装置において受信したバーストから復調された受信データを構文解析するための方法が提供され、この方法は、Ａ．受信データをプロトコルデータユニットに分解するステップ、Ｂ．データパッケージの長さ情報に従って、プロトコルデータユニットにおけるデータパッケージを識別するステップ、Ｃ．データパッケージの接続識別子情報に従って、データパッケージを対応する論理接続にマッピングするステップを備える。
【００１５】
本発明の第３の態様によれば、無線ネットワークのネットワーク装置においてプロトコルデータユニットを構成するためのデータ構成装置が提供され、このデータ構成装置は、同相手方装置に送信すべき異なる論理接続のデータを現在のプロトコルデータユニットに割り当てるかどうかを判定するための第１の判定手段、及び同相手方装置に送信すべき異なる論理接続のデータが現在のデータプロトコルユニットに割り当てられる必要がある場合、同相手方装置に送信すべき異なる論理接続のデータ、論理接続を示すための接続識別子情報を現在のプロトコルデータユニットにパッケージするためのデータパッケージ手段を備える。
【００１６】
本発明の第４の態様によれば、無線ネットワークのネットワーク装置において受信したバーストから復調された受信データを構文解析するためのデータ構文解析装置が提供され、このデータ構文解析装置は、受信データをプロトコルデータユニットに分解するための第１の分解手段、データパッケージの長さ情報に従って、プロトコルデータユニットにおけるデータパッケージを識別するためのデータパッケージ識別手段、データパッケージの接続識別子情報に従って、データパッケージを対応する論理接続にマッピングするためのマッピング手段を備える。
【００１７】
本発明のソリューションにおいて、異なる論理接続に対応するデータを単一のプロトコルデータユニット内で運ぶことができ、従って好ましいいくつかの実施形態によれば、システムオーバーヘッドを省くことができ、受信機の処理装置を簡略化することができる。
【００１８】
非限定的な実施形態の以下の説明を添付の図面と併せ読めば、本発明の特徴、態様、及び利点がより明らかになる。
【図面の簡単な説明】
【００１９】
【図１】ＩＥＥＥ８０２．１６のＭＡＣ  ＰＤＵにおけるＭＡＣヘッダーを示す構造図である。
【図２】ＴＤＤモードがＩＥＥＥ８０２．１６に採用されるときのＤＬ／ＵＬ信号構造の図を示す図である。
【図３】ＦＤＤモードがＩＥＥＥ８０２．１６に採用されるときのＤＬ／ＵＬ信号構造の図を示す図である。
【図４】本発明の一実施形態による広帯域無線ネットワークを示す図である。
【図５】本発明の一実施形態によるＰＤＵヘッダーを示す構造図である。
【図６】本発明の一実施形態によるＰＤＵにおけるデータパッケージのサブヘッダーを示す構造図である。
【図７】本発明の一実施形態によるＰＤＵにおけるデータパッケージのサブヘッダーを示す別の構造図である。
【図８】本発明の一実施形態による、無線ネットワークのネットワーク装置においてプロトコルデータユニットを構成するための方法のフローチャートである。
【図９】本発明の一実施形態による、無線ネットワークのネットワーク装置において受信したバーストから復調された受信データを構文解析するための方法のフローチャートである。
【図１０】本発明の一実施形態による無線ネットワークにおけるネットワーク装置を示すブロック図である。
【発明を実施するための形態】
【００２０】
図中、同じ又は類似の参照番号は同じ又は類似のステップ又は手段（モジュール）を指す。
【００２１】
図４は、本発明の一実施形態による広帯域無線ネットワークの図を示す。当業者には理解されるように、示されるネットワークは、ＷｉＭＡＸネットワーク又はＷｉーＦｉネットワークとすることができ、それに限定されない。図４に示すように、広帯域無線ネットワークは基地局１及び移動局２を備え、論理接続ａ及びｂがその間に確立される。単に描画の便宜上、データ送信及び構文解析は基地局とＭＳとの間に例示的に導入されているが、当業者であれば、本発明の保護範囲から逸脱することなく、創作業務の必要無しに、本発明を、基地局又はその均等物の無線アクセス装置と中継局（又はその均等物）との間、又は中継局（又はその均等物）とＭＳとの間のデータ送信／構文解析に広げて適用することができる。
【００２２】
図５は、本発明の一実施形態によるＰＤＵヘッダーの構造図を示す。図６は、本発明の一実施形態によるＰＤＵにおけるデータパッケージのサブヘッダーの構造図を示す。図７は、本発明の一実施形態によるＰＤＵにおけるデータパッケージのサブヘッダーの別の構造図を示す。
【００２３】
本発明について、図１から図７までとの組合せでシステムレベルから説明する。
【００２４】
図２、図３、図４に示すように、現在のバージョンのＩＥＥＥ８０２．１６標準について、ダウンリンク物理層は物理層の同期に使用されるプリアンブルで開始し、プリアンブルの後にフレーム制御ヘッダー（ＦＣＨ）が続き、これは、ＦＣＨのすぐ後の１つ以上のバーストのパラメータ及び長さを示すためのブロードキャスト制御情報を含み、バーストに含まれる中身は送信すべきデータである。ＦＣＨは、ダウンリンク移動通信応用部（ＤＬ−ＭＡＰ）又はアップリンク移動通信応用部（ＵＬ−ＭＡＰ）をさらに備える。通常、プリアンブル及びＦＣＨはともに、基地局１によってブロードキャストされる。ＭＳ２がプリアンブルを受信した後、論理信号を調整し、基地局１とＭＳ２との間のＰＨＹ層信号の同期を保持する。ＭＳ２は、ＦＣＨを受信した後、その中のＤＬ−ＭＡＰ又はＵＬ−ＭＡＰに従って、データを受信又は送信すべきときを決定する、つまり、ＭＳ２に割り当てられるＵＬ／ＤＬバーストによって占有される時間−周波数リソースを決定する。
【００２５】
現在のバージョンのＩＥＥＥ８０２．１６標準について、各バーストは１つ以上のＭＡＣ  ＰＤＵを備える。各ＭＡＣ  ＰＤＵは３つの部分から成り、各ＭＡＣ  ＰＤＵは４８ビットの固定長のＭＡＣヘッダーを備える。ＭＡＣヘッダーの後にペイロードが続き、任意選択でペイロードの後に３２ビットのＣＲＣがある。ＩＥＥＥ８０２．１６のために定義されるＭＡＣヘッダーの２つのタイプのフォーマット（即ち、汎用ヘッダー及び帯域幅要求ヘッダー）は全て、１６ビットのＣＩＤ及び８ビットのＨＣＳ情報を備える。即ち、ＩＥＥＥ８０２．１６ｅの現在の標準によれば、単一のＭＡＣ  ＰＤＵは１つの論理接続に対応するデータを運ぶだけである。基地局１とＭＳ２との間に２つの論理接続ａ及びｂが存在するため、各論理接続に対応する送信すべきデータの量が小さい場合でさえ、依然として論理接続ａ及びｂの送信のためのＭＡＣ  ＰＤＵをそれぞれ生成する必要がある。
【００２６】
本発明のソリューションにおいて、好ましくは、プロトコルデータユニットのＭＡＣヘッダーは１６ビットのＣＩＤ情報をもはや備えていない。基地局１とＭＳ２との間に複数の論理接続があるため、ヘッダー及びＣＲＣのオーバーヘッドを除くことができるように、複数の論理接続に対応するデータを１つのプロトコルデータユニットにカプセル化することができる。それに対応して、プロトコルデータユニットのヘッダーを、図５に示される構造で具体化することができる。
【００２７】
図５に示すように、プロトコルデータユニットのヘッダーは１ビット長のＲフィールド４つ、及び１２ビット長のＭＳ  ＩＤフィールド１つを備える。Ｒフィールドは予備ビットであり、例えばヘッダーチェックコードなど、他の目的のために使用することができる。ＭＳ  ＩＤは、プロトコルデータユニットが属するＭＳを識別するために使用される。ＭＳ  ＩＤの長さは基地局のサービス機能に依存し、例えば、１２ビットの長さは、基地局が４０９６のアクティブのＭＳをサポートすることができることを意味する。図５に示されるプロトコルデータユニットのヘッダー構造の含まれる中身、フィールドの配列、及び各フィールドの長さは単に例として示されており、それに限定されるものではないことを当業者は容易に理解できよう。
【００２８】
基地局１又はＭＳ２は、異なる論理接続に対応するデータパッケージを単一のプロトコルデータユニットにカプセル化することができる。本明細書では、データパッケージは、１つの論理接続又はそのフラグメントに対応するＳＤＵとすることができる。ＢＳ１又はＭＳ２は、データパッケージの相対情報を示す各データパッケージのサブヘッダーを生成し、データパッケージ及びその対応するサブヘッダーを１つのプロトコルデータユニットにカプセル化する。
【００２９】
図６及び図７は、本発明のそれぞれの実施形態によるＰＤＵにおけるデータパッケージのサブヘッダーの構造図をそれぞれ示す。
【００３０】
図６に示すように、サブヘッダーの長さは３バイトであり、合計で２４ビットになり、以下を備える。
Ｒ、２ビット、他の目的のための予備である。
Ｌ、１ビット、現在のデータパッケージが現在のプロトコルデータユニットの最後のデータパッケージであるかどうかを示すために使用される。
ＳＣＩＤ、５ビット、現在のデータパッケージに対応する論理接続を示すための接続識別子として使用され、ＢＳとＭＳ、例えばＢＳ１とＭＳ２との組合せ内に、異なる論理接続の異なる識別子があり、識別子をＢＳとＭＳとの間の異なる組合せ中で再利用することができる。
ＬＥＮ、１１ビット、対応するデータパッケージ長を示すために使用され、１１ビット長は最大許容長が２０４８バイトであることを意味し、一般に、データパッケージ及びそのサブヘッダーは全体としてみなされ、従って、ＬＥＮは合計長さを示す。
ＦＣ、２ビット、対応するデータパッケージのセグメント状態を示すために使用され、例えば、ＦＣフィールドは、セグメントがない、つまり完全なサービスデータパッケージである場合、００に設定され、データパッケージが対応するサービスデータユニットの最後のセグメントである場合１１に設定され、中間フラグメントの場合、それ以外に設定される。
ＳＮ：３ビット、対応するＭＡＣ  ＳＤＵフラグメントのシーケンス番号を示すために使用され、例えば、ＳＮは、データパッケージが完全なサービスデータユニットである場合、０００に設定され、データパッケージが対応するＭＡＣ  ＳＤＵの第３のフラグメントである場合、０１１に設定される。
【００３１】
図７に示されるサブヘッダーの構造には、図６に示されるものに比べて、１１ビットのより長いＳＮフィールドが割り当てられる。
【００３２】
図６及び図７に示されるプロトコルデータユニットのヘッダー構造の含まれる中身、フィールドの配列、及び各フィールドの長さは単に例として示されており、それに限定されるものではないことを当業者は容易に理解できよう。
【００３３】
本発明において、１バーストは、１つ以上のスロット及び／又はサブキャリアチャネルが含まれ、同じ変調モードが採用される、データのセグメントの送信を意味する。
【００３４】
本発明において、プロトコルデータユニットのカプセル化は、各データパッケージ及びそのサブヘッダーが全体としてみなされ、以下カプセル化ユニットと呼ばれる形をとり、各カプセル化ユニットは、サブヘッダーで開始し、次いで対応するデータパッケージが続き、全てのカプセル化ユニットがプロトコルデータユニットのペイロード内に次々に連続して配列される。
【００３５】
確かに、プロトコルデータユニットのカプセル化の方法は、様々でよい。例えば、プロトコルデータユニットのペイロードは、連続的に配列される複数のサブヘッダーで開始し、サブヘッダーは、対応するデータパッケージの長さ情報をもはや備えておらず、プロトコルデータユニットのペイロード内にデータパッケージの先頭位置及び終了位置を備える。
【００３６】
一般性を失うことなく、本発明の以下の説明のために、前のカプセル化の方法を例にとる。即ち、各データパッケージ及びそのサブヘッダーが全カプセル化ユニットとしてみなされ、全てのカプセル化ユニットがプロトコルデータユニットのペイロード内に次々に連続して配列される。
【００３７】
本発明のソリューションにおいて、ＭＳによって排他的に占有されるようにバーストを割り当てることができる。ＢＳ１によって送信されるフレーム制御ヘッダーはＤＬ−ＭＡＰ又はＵＬ−ＭＡＰをさらに含み、ＤＬ−ＭＡＰ又はＵＬ−ＭＡＰは、各ＭＳに割り当てられるＵＬ／ＤＬバーストによって占有される時間−周波数リソースブロックを指定し、つまりＭＳ２は、ＦＣＨを受信した後、そのＵＬ／ＤＬバーストによって排他的に占有される時間−周波数リソースブロックについて通知される。本明細書において、より多くのシステムオーバーヘッドを省くように、プロトコルデータユニットのヘッダーにおけるＭＳＤ  ＩＤをさらに削除することができる。
【００３８】
ＢＳ１について、送信されたＦＣＨは、ＦＣＨの後に各バーストのパラメータをさらに備え、各バーストによって占有される特定の時間−周波数リソースブロック、各バーストに適用される変調方式、及び符号化方式を含む。１つのバーストのパラメータが決定されると、それに応じて、バーストによって運ばれるデータの合計長さが決定される。例えば、そのシステムにＯＦＤＭが採用され、１つのバーストは、Ｋ個のスロットを占有し、１６ＱＡＭのモードで変調され、１／２符号化レートで符号化される。ＩＥＥＥ８０２．１６ｅ標準の定義によれば、１スロットは４８データサブキャリアを含む。１つのデータサブキャリアは１６ＱＡＭの変調及び１／２符号化レートで２ビットを運ぶ。従って、バーストによって運ばれるデータの合計長さは、２×４８×Ｋビット、即ち１２×Ｋバイトである。
【００３９】
１つの好ましい実施形態によれば、ＢＳ１又はＭＳ２は、所与の長さの値に基づいて、１つのバースト内の各プロトコルデータユニットを分割する。例えば、Ｔはバーストで運ばれたデータの合計長さであり、Ｓは所与の値である。バーストの先頭データから数えて、各Ｓバイトは、分割がＴバイトの最後に適用されるまで、１つのプロトコルデータユニットとして分割される。ＴがＳでちょうど割れない場合があるため、最後のプロトコルデータユニットにおけるバイトはＳ未満であり得る。また、Ｓの所与の値は固定でもよく、又はチャネル状態の変化に従って調整されてもよい。一般に、Ｓの所与の値は、無線アクセスコントローラ又は他のアクセス制御装置、又はＢＳ１によって決定することができる。通常、Ｓの所与の値は、図２に示すように、各フレームにおいて、１つのＰＨＹデータフレームの持続時間により調整されてもよい。１つのフレーム内のバーストごとの個々の所与の値は、同じであっても、又は異なっていてもよく、所与の値は１フレームの１バーストについて固定される。所与の値は、通常、ＦＣＨのＤＬ−ＭＡＰ又はＵＬ−ＭＡＰに含まれる。
【００４０】
上記の好ましい実施形態の利点は、上記の方法で生成されるバーストを受信した後、受信機は、簡単に構築される構文解析装置によって各プロトコルデータユニットを再生することができること、つまり、ＦＣＨにおける所与の値に従って、受信機は、構文解析がバーストから復調されたデータの最後で終了するまで、１つのプロトコルデータユニットとして受信したバーストから復調されたデータの先頭データから各Ｓバイトを構文解析することである。従って、受信したバーストから復調されたデータに何らかのエラーが起こると、プロトコルデータユニットの長さを示す長さインジケータに何らかのエラーが起こった場合でさえ、長さインジケータ後の各プロトコルデータユニットの割り振りを依然として行うことができる。
【００４１】
上記では本発明をシステムレベルから詳しく説明しており、以下では、図４を参照して、方法フローチャートとともに、送信機及び受信機の観点から説明する。
【００４２】
図８は、本発明の一実施形態による、無線ネットワークのネットワーク装置においてプロトコルデータユニットを構成するための方法のフローチャートを示す。
【００４３】
以下、本発明の第１の態様について、ＢＳ１を例にとり説明する。
【００４４】
まず、ステップＳ１０において、ＢＳ１は、１つのバーストで運ばれるプロトコルデータユニットの長さ情報を取得する。例えば、バーストはＭＳ２へのＤＬバーストであり、通常、ＢＳ１は、ＷＡＣ又は他の制御装置からプロトコルデータユニットの長さ情報を取得し、ＦＣＨによって長さ情報をＭＳ２に通知する。ＢＳ１は長さ情報に従って各プロトコルデータユニットをカプセル化し、ここで各プロトコルデータユニットは、次々に連続して配列され、先頭からバーストによって運ばれるデータに連続してマッピングされる。
【００４５】
その後、ＢＳ１はＭＳ２に送信すべきデータをバーストの各プロトコルデータユニットにカプセル化する。バーストがＢＳ１とＭＳ２との間の２つの論理接続のデータ、例えば論理接続ａ及びｂのデータを備える場合、ステップＳ１１で、ＢＳ１は、論理接続ａ及びｂに対応するデータを現在のプロトコルデータユニットに割り振るかどうかを判定する。
【００４６】
具体的には、ステップＳ１１は、さらに２つのサブステップを備える。
第１のサブステップにおいて、ＢＳ１は、現在のプロトコルデータユニットの長さのマージン−割り当てるべき論理接続ａのデータ長が予め定められた値を超えるかどうかを判定する。
第２のサブステップにおいて、現在のプロトコルデータユニットの長さのマージン−割り当てるべき論理接続ａのデータ長が予め定められた値を超える場合、ＢＳ１は、割り当てるべき論理接続ａのデータ、及び論理接続ｂのデータの少なくとも一部を現在のプロトコルデータユニットに割り当てることを決定する。
【００４７】
ステップＳ１１において、割り当てるべき論理接続ａのデータ、及び論理接続ｂの一部又は全てのデータが現在のプロトコルデータユニットに割り当てられる必要があると決定された場合、ステップＳ１２において、ＢＳ１は、上記のデータ、及び上記のデータが対応する論理接続を示すための接続インジケータを現在のプロトコルデータユニットにカプセル化する。
【００４８】
本発明の一実施形態によれば、データパッケージ及びその対応するサブヘッダーの形の各論理接続に対応するデータは、カプセル化ユニットを構成する。各カプセル化ユニットはサブヘッダーで開始し、サブヘッダーの後に対応するデータパッケージが続き、チェックのためのデータなど、他のデータが続き得る。各カプセル化ユニットは、プロトコルデータユニットのペイロード内に先頭位置から次々に連続して配列される。本明細書において、データパッケージは、論理接続に対応するＳＤＵ、又はＳＤＵのフラグメントとすることができる。また、ステップＳ１２における上述した接続インジケータは、具体的には、図６、図７に示すように、サブヘッダーにおけるＳＣＩＤ情報に対応し得る。
【００４９】
ステップＳ１１の第１のサブステップにおける予め定められた値は、カプセル化ユニットにおけるサブヘッダーの長さを少なくとも超えるものとし、そうでない場合、現在のプロトコルデータユニットは、割り当てるべき接続ａに対応するカプセル化ユニットを運んだ後、より多くのカプセル化ユニットを運ぶことができないことを当業者は容易に理解できよう。
【００５０】
現在のプロトコルデータユニットの長さのマージン−割り当てるべき論理接続ａのデータの長さが予め定められた値を超えることをＢＳ１が決定した場合、つまり、現在のプロトコルデータユニットの割り当てられるべき残りのデータ長が予め定められた値を超えるとき、現在のプロトコルデータユニットは、より多くのカプセル化ユニットを運ぶことができる。次いで、ＢＳ１は、接続ｂに対応するＳＤＵをカプセル化ユニットにパッケージするために必要なデータ長を、現在のプロトコルデータユニットの残りの割り当て可能なデータ長と比較する。現在のプロトコルデータユニットの残りの割り当て可能なデータ長が大きい場合、ＢＳ１は、接続ｂのＳＤＵ全体をカプセル化ユニットにパッケージし、それを現在のプロトコルデータユニットにロードする。それに対して、ＢＳ１は、接続ｂのＳＤＵのフラグメントを１つのカプセル化ユニットにパッケージし、それを現在のプロトコルデータユニットにロードし、通常、インターセプトされたフラグメントの長さは、現在のプロトコルデータユニットの残りの割り当て可能なデータ長に従って決定される。
【００５１】
サービスデータを運ぶカプセル化ユニットが１つのプロトコルデータユニットのペイロードを完全には占有することができない場合、プロトコルデータユニットの残りのペイロードは残りのペイロードに等しい長さのパディングカプセル化ユニット（padding encapsulation unit）をカプセル化する。パディングカプセル化ユニットのサブヘッダーは、特別なＳＣＩＤ情報を含み、サブヘッダーの後に対応するパディングペイロードが続く。
【００５２】
ＢＳ１が接続ａに対応するカプセル化ユニット及び接続ｂに対応するカプセル化ユニットを１つのプロトコルデータユニットにパッケージするプロセスは、バーストが例示的にＢＳ１とＭＳ２との間の２つの論理接続ａ及びｂを備える上記の実施形態に従って説明される。しかし、上記の説明の関与する原理によれば、従来技術との組合せで、バーストがＢＳ１とＭＳ２との間のより多くの論理接続を備える場合、ＢＳ１が複数の論理接続に対応するカプセル化ユニットを１つのプロトコルデータユニットにパッケージする方法を当業者は容易に理解できよう。
【００５３】
上記のＳ１１、Ｓ１２に同等の他の実施形態が存在し、そのうちの１つについて以下で説明する。
【００５４】
１つのバーストがＢＳ１からＭＳ２へのＤＬバーストであることを例にとると、ＢＳ１は、プロトコルデータユニットの長さ情報を取得し、ＦＣＨによって長さ情報をＭＳ２に通知する。そしてその後、ＢＳ１は、長さ情報に従って各プロトコルデータユニットをカプセル化する。
【００５５】
この例において、バーストは、論理接続ａ、ｂ及びｃに対応するＢＳ１とＭＳ２との間の３つの論理接続のデータを備える。システムは、それぞれ３つの論理接続に優先順位を付け、一般に優先順位は、ＷＡＣ又は他のアクセス制御装置又はＢＳ１によって決定することができる。例えば、論理接続ａは優先順位が最も高く、論理接続ｂは優先順位がより低く、一番低い優先順位は論理接続ｃに行く。ＢＳ１は、各論理接続のデータを、論理接続のそれぞれの優先順位に従って一連のプロトコルデータユニットにパッケージする。
【００５６】
まず、ＢＳ１は、論理接続ａのＳＤＵをカプセル化ユニットにパッケージするために必要なデータ長を、第１のプロトコルデータユニットのペイロードのデータ長と比較する。第１のプロトコルデータユニットのペイロードの長さが十分大きい場合、ＢＳ１は、接続ａのＳＤＵをカプセル化ユニットにパッケージし、それを第１のプロトコルデータユニットにロードする。それに対して、ＢＳ１は、接続ａのＳＤＵのフラグメントを１つのカプセル化ユニットにパッケージし、それを第１のプロトコルデータユニットにロードする。次いで、ＢＳ１は、論理接続ａのＳＤＵの残りのデータをカプセル化ユニットにパッケージするために必要なデータ長を、第２のプロトコルデータユニットのペイロードのデータ長と比較し、論理接続ａのＳＤＵの全てのデータが対応するプロトコルデータユニットにカプセル化されるまで、上記と類似の処理が適用される。
【００５７】
次いで、ＢＳ１は、論理接続ｂのＳＤＵをカプセル化ユニットにパッケージするために必要なデータ長を、論理接続ａのデータを運ぶ最後のプロトコルデータユニットのペイロードの残りのデータ長と比較し、論理接続ｂのＳＤＵの全てのデータが対応するプロトコルデータユニットにカプセル化されるまで、上記と類似の処理が適用される。
【００５８】
その後、ＢＳ１は、論理接続ｃのＳＤＵの全てのデータが対応するプロトコルデータユニットにカプセル化されるまで、論理接続ｃのＳＤＵのデータに上記と類似の処理を適用する。
【００５９】
この方法によって、各プロトコルデータユニットの長さ、及び各論理接続の優先順位及び長さに応じて、１つのプロトコルデータユニットは、１つの論理接続のみからのデータ、又は２つの論理接続からのデータを運ぶことができる。例えば、１つのプロトコルデータユニットは、両方の論理接続ａ及びｂから、又は両方の接続ｂ及びｃからデータを運ぶ、又は、１つのプロトコルデータユニットは、３つの論理接続からデータを運ぶことができ、論理接続ｂからのデータは完全なＳＤＵを含むカプセル化ユニットとする必要があるが、論理接続ａ、ｃからのカプセル化ユニットは単に対応するＳＤＵのフラグメントを含むだけでよい。
【００６０】
本発明の第１の態様の好ましい実施形態によれば、ＢＳ１は、所与の長さの値に従って１つのバースト内の各プロトコルデータユニットを分割する。例えば、１つのバーストで運ばれるデータの合計長さはＴバイトであり、所与の値はＳである。バーストの先頭ビットから数えて、各Ｓバイトは、分割がＴバイトの最後に適用されるまで、１つのプロトコルデータユニットとして分割される。ＴがＳでちょうど割れない場合があるため、最後のプロトコルデータユニットはＳバイト未満であり得る。
【００６１】
【数１】
2011527535.tif 000003
が切り上げ丸め処理（ceiling rouding）のファンクタであり、
【００６２】
【数２】
2011527535.tif 000004
が切り下げ丸め処理（floor rounding）のファンクタである場合、バーストについて、Ｓバイトの長さのプロトコルデータユニットの数は
【００６３】
【数３】
2011527535.tif 000005
である。残りのプロトコルデータユニットの数は
【００６４】
【数４】
2011527535.tif 000006
であり、そのデータ長はＯ＝Ｔ−Ｓ×Ｍであり、Ｎは０又は１の値を有し得る。
【００６５】
Ｓの所与の値は、固定でもよく、又はチャネル状態の変化に従って調整されてもよい。一般に、Ｓの所与の値は、無線アクセスコントローラ又は他のアクセス制御装置、又はＢＳ１によって決定することができる。通常、Ｓの所与の値は、図２に示すように、各フレームにおいて、１つのＰＨＹデータフレームの持続時間により調整されてもよい。１つのフレーム内のバーストごとの個々の所与の値は、同じであっても、又は異なっていてもよく、所与の値は、１つのフレームの何らかの特定のバーストについて固定される。所与の値は、通常、ＦＣＨのＤＬ−ＭＡＰ又はＵＬ−ＭＡＰに含まれる。
【００６６】
ＦＣＨを受信した後、ＭＳ２は、その中の所与の値に従って各プロトコルデータユニットを構文解析することができる。従って、各プロトコルデータユニットのヘッダーにおけるそれぞれの長さ情報をさらに削除することができる。ＢＳ１は、図５に示すようにヘッダーフォーマットを使用することができ、ＭＳ  ＩＤは、１つのプロトコルデータユニットが対応するＭＳを示すために使用され、即ち、ＭＳ  ＩＤは、プロトコルデータユニットが対応するＭＳの特徴情報である。各カプセル化ユニットのヘッダー及びサブヘッダーにおけるＭＳ  ＩＤは、関連のデータパッケージが対応する論理接続を一緒に示すために使用される。この場合、１つのバーストが異なるＭＳに対応する複数のプロトコルデータユニットをそれぞれ運ぶことができることを当業者は容易に理解できよう。
【００６７】
サービスデータを運ぶプロトコルデータユニットが１つのバーストを十分に満たしていない場合、バーストの残りのペイロードは１つのパディングＭＡＣ  ＰＤＵによってパディングされる。パディングＭＡＣ  ＰＤＵユニットのヘッダーは特別なＳＣＩＤ情報を含み、サブヘッダーの後に対応するパディングペイロードが続く。
【００６８】
本発明の第１の態様の別の実施形態によれば、ＭＳによって排他的に占有されるようにバーストを割り当てることができる。例えば、ＢＳ１は、ＢＳ１によって送信されるフレーム制御ヘッダーのＤＬ−ＭＡＰ又はＵＬ−ＭＡＰにおいて、各ＭＳに割り当てられるＵＬ／ＤＬバーストによって占有される時間−周波数リソースブロックを指定し、つまり、ＭＳ２は、ＦＣＨを受信した後、そのＵＬ／ＤＬバーストによって排他的に占有される時間−周波数リソースブロックについて通知される。本明細書において、より多くのシステムオーバーヘッドを省くように、プロトコルデータユニットのヘッダーにおけるＭＳ  ＩＤをさらに削除することができる。
【００６９】
上記では、広帯域無線ネットワークの装置においてプロトコルデータユニットを構成するための方法について、ＢＳ１を例にとり説明した。さらに、本発明の第１の態様について、ＭＳ２を例にとり説明する。
【００７０】
まず、ステップＳ１０において、ＭＳ２は、１つのバーストで運ばれるプロトコルデータユニットの長さ情報を取得する。例えば、バーストはＢＳ１へのＵＬバーストであり、通常、ＭＳ２は、受信したＦＣＨからプロトコルデータユニットの長さ情報を取得する。ＭＳ２。ＭＳ２は、長さ情報に従って各プロトコルデータユニットをカプセル化し、各プロトコルデータユニットは、次々に連続して配列され、先頭ビットからバーストによって運ばれるデータに連続してマッピングされる。
【００７１】
その後、ＭＳ２は、ＢＳ１に送信すべきデータをバーストの各プロトコルデータユニットにカプセル化する。バーストがＢＳ１とＭＳ２との間の２つの論理接続のデータ、例えば論理接続ａ及びｂのデータを備える場合、ステップＳ１１で、ＭＳ２は、論理接続ａ及びｂに対応するデータを同じプロトコルデータに割り振るかどうかを判定する。
【００７２】
具体的には、ステップＳ１１は、さらに２つのサブステップを備える。
第１のサブステップにおいて、ＭＳ２は、現在のプロトコルデータユニットの長さのマージン−割り当てるべき論理接続ａのデータ長が予め定められた値を超えるかどうかを判定する。
第２のサブステップにおいて、現在のプロトコルデータユニットの長さのマージン−割り当てるべき論理接続ａのデータ長が予め定められた値を超える場合、ＭＳ２は、割り当てるべき論理接続ａのデータ、及び論理接続ｂのデータの少なくとも一部を現在のプロトコルデータユニットに割り当てることを決定する。
【００７３】
ステップＳ１１において、割り当てるべき論理接続ａのデータ、及び論理接続ｂの一部又は全てのデータが現在のプロトコルデータユニットに割り当てられる必要があると決定された場合、ステップＳ１２において、ＭＳ２は、データ、及び上記のデータが対応する論理接続を示すための接続インジケータを現在のプロトコルデータユニットにカプセル化する。
【００７４】
本発明の一実施形態によれば、データパッケージ及びその対応するサブヘッダーの形の各論理接続に対応するデータはカプセル化ユニットを構成する。各カプセル化ユニットはサブヘッダーで開始し、サブヘッダーの後に対応するデータパッケージが続き、チェックのためのデータなど、他のデータが続き得る。各カプセル化ユニットは、プロトコルデータユニットのペイロード内に先頭位置から次々に連続して配列される。本明細書において、データパッケージは、論理接続に対応するＳＤＵ、又はＳＤＵのフラグメントとすることができる。また、ステップＳ１２における上述した接続インジケータは、具体的には、図６、図７に示すように、サブヘッダーにおけるＳＣＩＤ情報に対応し得る。
【００７５】
ステップＳ１１の第１のサブステップにおける予め定められた値は、カプセル化ユニットにおけるサブヘッダーの長さを少なくとも超えるものとし、そうでない場合、現在のプロトコルデータユニットは、割り当てるべき接続ａに対応するカプセル化ユニットを運んだ後、より多くのカプセル化ユニットを運ぶことができないことを当業者は容易に理解できよう。
【００７６】
現在のプロトコルデータユニットの長さのマージン−割り当てるべき論理接続ａのデータの長さが予め定められた値を超えることをＭＳ２が決定した場合、つまり、現在のプロトコルデータユニットの残りの割り当て可能なデータ長が予め定められた値を超えるとき、現在のプロトコルデータユニットは、より多くのカプセル化ユニットを運ぶことができる。次いで、ＭＳ２は、論理接続ｂに対応するＳＤＵをカプセル化ユニットにパッケージするために必要なデータ長を、現在のプロトコルデータユニットの残りの割り当て可能なデータ長と比較する。現在のプロトコルデータユニットの残りの割り当て可能なデータ長が大きい場合、ＭＳ２は、接続ｂのＳＤＵ全体をカプセル化ユニットにパッケージし、それを現在のプロトコルデータユニットにロードする。それに対して、ＭＳ２は、接続ｂのＳＤＵのフラグメントを１つのカプセル化ユニットにパッケージし、それを現在のプロトコルデータユニットにロードし、通常、インターセプトされたフラグメントの長さは、現在のプロトコルデータユニットの残りの割り当て可能なデータ長に従って決定される。
【００７７】
サービスデータを運ぶカプセル化ユニットが１つのプロトコルデータユニットのペイロードを完全には占有することができない場合、プロトコルデータユニットの残りのペイロードは、残りのペイロードに等しい長さのパディングカプセル化ユニットをカプセル化する。パディングカプセル化ユニットのサブヘッダーは特別なＳＣＩＤ情報を含み、サブヘッダーの後に対応するパディングペイロードが続く。
【００７８】
ＭＳ２が接続ａに対応するカプセル化ユニット及び接続ｂに対応するカプセル化ユニットを１つのプロトコルデータユニットにパッケージするプロセスは、バーストが例示的にＢＳ１とＭＳ２との間の２つの論理接続ａ及びｂを備える上記の実施形態に従って説明される。しかし、上記の説明の関与する原理によれば、従来技術との組合せで、バーストがＢＳ１とＭＳ２との間のより多くの論理接続を備える場合、ＭＳ２が複数の論理接続に対応するカプセル化ユニットを１つのプロトコルデータユニットにパッケージする方法を当業者は容易に理解できよう。
【００７９】
本発明の第１の態様の好ましい実施形態によれば、ＭＳ２は、所与の長さの値に従って１つのバースト内の各プロトコルデータユニットを分割する。例えば、１つのバーストで運ばれるデータの合計長さはＴバイトであり、所与の値はＳである。バーストの先頭ビットから数えて、各Ｓバイトは、ＭＳ２によって、分割がＴバイトの最後に適用されるまで、１つのプロトコルデータユニットとして分割される。ＴがＳでちょうど割れない場合があるため、最後のプロトコルデータユニットはＳバイト未満であり得る。通常、所与の値は、受信したＦＣＨからＭＳ２によって取得される。
【００８０】
図９は、本発明の一実施形態による、無線ネットワークのネットワーク装置において受信したバーストから復調された受信データを構文解析するための方法のフローチャートを示す。
【００８１】
本発明の第２の態様について、ＭＳ２を例にとり説明する。
【００８２】
まず、ステップＳ２０において、ＭＳ２は、受信したＤＬバーストから復調された受信データをプロトコルデータユニットに分解する。
【００８３】
各プロトコルデータユニットのヘッダーがプロトコルデータユニットの対応する長さ情報を含む場合、ＭＳ２は、特に、第１のプロトコルデータユニットのヘッダーにおける対応する長さ情報に従って第１のプロトコルデータユニットを構文解析し、それに対応して、ＭＳ２は、第２のプロトコルデータユニットのヘッダーを探す。次いでＭＳ２は、第２のプロトコルデータユニットのヘッダーにおける対応する長さ情報に従って第２のプロトコルデータユニットを構文解析し、それによって、第３のプロトコルデータユニットのヘッダーを探す。推論によって、ＭＳ２は、受信したバーストの全てのプロトコルデータユニットが分解されるまで構文解析を続ける。
【００８４】
第２に、ステップＳ２１において、ＭＳ２は、データパッケージの長さ情報に従ってプロトコルデータユニットにおける各データパッケージを識別する。
【００８５】
具体的には、データパッケージ及び対応するサブヘッダーの形の各論理接続に対応するデータは、カプセル化ユニットを構成する。各カプセル化ユニットはサブヘッダーで開始し、サブヘッダーの後に対応するデータパッケージが続き、チェックのためのデータなど、他のデータが続き得る。各カプセル化ユニットは、プロトコルデータユニットのペイロード内に先頭から次々に連続して配列される。図６又は図７に示されるヘッダーデータ構造を参照すると、ＭＳ２は、まず、第１のカプセル化ユニットのヘッダーにおける対応するＬＥＮ情報に従って第１のプロトコルデータユニットを構文解析し、それに対応して、ＭＳ２は第２のカプセル化ユニットのヘッダーを探す。次いでＭＳ２は、第２のカプセル化ユニットのヘッダーにおける対応するＬＥＮ情報に従って第２のプロトコルデータユニットを構文解析し、それによって、第３のカプセル化ユニットのヘッダーを探す。推論によって、ＭＳ２は、ＰＤＵの全てのカプセル化ユニットが分解されるまで構文解析を続ける。
【００８６】
次いで、ステップＳ２２において、ＭＳ２は、各データパッケージの接続識別子情報に従って各データパッケージを対応する論理接続にマッピングする。
【００８７】
具体的には、ＭＳ２は、各カプセル化ユニットのサブヘッダーにおけるＳＣＩＤ情報に従って、対応するデータパッケージを、ＳＣＩＤ情報が対応する論理接続にマッピングする。
【００８８】
図５に示すように、本発明の第２の態様による１つの好ましい実施形態において、各プロトコルデータユニットのヘッダーは、ＭＳの特徴情報であるＭＳ  ＩＤをさらに含む。各カプセル化ユニットのサブヘッダーにおけるＭＳ  ＩＤ及びＳＣＩＤ情報は、関連のデータパッケージが対応する論理接続を一緒に示すために使用される。ＭＳ２は、１つのプロトコルデータユニットのヘッダーにおけるＭＳ  ＩＤ、及び各カプセル化ユニットのサブヘッダーにおけるＳＣＩＤ情報に従って、対応するデータパッケージをその対応する論理接続にマッピングする。
【００８９】
本発明の好ましい実施形態によれば、各プロトコルデータユニットのヘッダーは対応する長さ情報を備えていない。１つのバースト内の各プロトコルデータユニットは所与の長さの値に従って分割される。ＭＳ２は、受信した現在のフレームのＦＣＨから所与の長さの値を取得し、所与の値に従って、受信したＤＬバーストから復調された受信データをプロトコルデータユニットに分解する。バーストの先頭から数えて、所与の長さの値の各データチャンクは、ＭＳ２によって、分割がＴバイトの最後に適用されるまで、又は残りのデータのデータ長が所与の長さの値未満となるまで、１つのデータセグメントとして分割され、各データセグメントがＰＤＵとして分解される。受信データの合計長さが所与の長さの値未満である場合、ＭＳ２は、受信データを１つのプロトコルデータユニットとして分解した。
【００９０】
上記では本発明の第２の態様について、ＭＳ２を例にとり説明した。上記の説明を参照して、本発明の第２の態様について、ＢＳ１を例にとり説明する。
【００９１】
まず、ステップＳ２０において、ＢＳ１は、受信したＵＬバーストから復調された受信データをプロトコルデータユニットに分解する。
【００９２】
第２に、ステップＳ２１において、ＢＳ１は、データパッケージの長さ情報に従ってプロトコルデータユニットにおける各データパッケージを識別する。
【００９３】
第３に、ステップＳ２２において、ＢＳ１は、各データパッケージの接続識別子情報に従って各データパッケージを対応する論理接続にマッピングする。
【００９４】
具体的には、ＢＳ１は、各カプセル化ユニットのサブヘッダーにおけるＳＣＩＤ情報に従って、対応するデータパッケージを、ＳＣＩＤ情報が対応する論理接続にマッピングする。
【００９５】
図５を参照すると、本発明の第２の態様による別の好ましい実施形態において、各プロトコルデータユニットのヘッダーは、ＭＳの特徴情報であるＭＳ  ＩＤをさらに含む。各カプセル化ユニットのサブヘッダーにおけるＭＳ  ＩＤ及びＳＣＩＤ情報は、関連のデータパッケージが対応する論理接続を一緒に示すために使用される。ＢＳ１は、１つのプロトコルデータユニットのヘッダーにおけるＭＳ  ＩＤ、及び各カプセル化ユニットのサブヘッダーにおけるＳＣＩＤ情報に従って、対応するデータをその論理接続にマッピングする。
【００９６】
本発明の好ましい実施形態によれば、各プロトコルデータユニットのヘッダーは、対応する長さ情報を備えていない。１つのバースト内の各プロトコルデータユニットは、所与の長さの値に従って分割される。また、一般にＢＳ１は、ＦＣＨによって所与の長さの値をＭＳ２に通知する。ＢＳ１は、所与の値に従って、受信したＤＬバーストから復調された受信データをプロトコルデータユニットに分解する。
【００９７】
図１０は、本発明の一実施形態による無線ネットワークにおけるネットワーク装置のブロック図を示す。
【００９８】
本発明の第３の態様によれば、無線ネットワークのネットワーク装置においてプロトコルデータユニットを構成するためのデータ構成装置が提供される。図１０に示すように、データ構成装置１０は、第１の取得手段１００、第１の判定手段１０１、及びデータパッケージ手段１０２を備える。また、本発明の異なる実施形態において、データ構成装置１０は、第１の取得手段１００、第１の判定手段１０１、及びデータパッケージ手段１０２のうちの一部又は全てを備えていてもよい。
【００９９】
本発明の第４の態様によれば、無線ネットワークのネットワーク装置において受信したバーストから復調された受信データを構文解析するためのデータ構文解析装置が提供される。図１０に示すように、データ構文解析装置２０は、第１の分解手段２００、データパッケージ識別手段２０１、マッピング手段２０２を備える。
【０１００】
通常、無線ネットワークのネットワーク装置は、プロトコルデータユニットを生成するためのデータ構成装置１０、及び受信したバーストから復調された受信データを構文解析するためのデータ構文解析装置２０の両方を備える。しかし、一部の特別な場合では、ネットワーク装置は、上記の２つの装置のうちの一方だけを備えていてもよい。図１０に示すように、ＢＳ１は、データ構成装置１０及びデータ構文解析装置２０の両方を備え、ＭＳ２もデータ構成装置１０及びデータ構文解析装置２０を備えていてもよいことを当業者は容易に理解できよう。
【０１０１】
本発明を、図４から図９を参照して、図１０とともに、装置の観点から説明する。
【０１０２】
図４に示すように、ＢＳ１とＭＳ２との間に２つの論理接続、つまり論理接続ａ及びｂが確立される。
【０１０３】
本発明の一実施形態によれば、１つのバーストにおいて、各ＰＤＵが次々に連続して配列され、先頭から、バーストによって運ばれるデータに連続してマッピングされる。データパッケージ及び対応するサブヘッダーの形の各論理接続に対応するデータは、カプセル化ユニットを構成する。各カプセル化ユニットは、サブヘッダーで開始し、サブヘッダーの後に対応するデータパッケージが続き、チェックのためのデータなど、他のデータが続き得る。１つのプロトコルデータユニットは、複数のカプセル化ユニットを運ぶことができる。各カプセル化ユニットは、プロトコルデータユニットのペイロード内に先頭から次々に連続して配列される。本明細書において、データパッケージは、論理接続のＳＤＵ、又はＳＤＵのフラグメントのいずれかに対応し得る。
【０１０４】
図５を参照すると、本発明の一実施形態によれば、広帯域無線ネットワークによって採用されるプロトコルデータユニットヘッダーは、プロトコルデータユニットの長さ情報及びＭＳ  ＩＤ情報、つまりＭＳの特徴情報を備え、カプセル化ユニットのサブヘッダーは、ＳＣＩＤ情報、つまり接続識別子情報を備える。ＭＳ  ＩＤ情報及びＳＣＩＤ情報は、カプセル化ユニットにおける関連のデータパッケージが対応する論理接続を一緒に示すために使用される。この場合、１つのバーストが異なるＭＳに対応する複数のプロトコルデータユニットをそれぞれ運ぶことができることを当業者は容易に理解できよう。
【０１０５】
ＢＳ１からＭＳ２へのＤＬバーストを例にとり、ＢＳ１及びＭＳ２によってバーストに適用されるそれぞれの処理について、以下で説明する。
【０１０６】
ＢＳ１において、第１の取得手段１００は、バーストで運ばれるプロトコルデータユニットの長さ情報を取得し、ＦＣＨによって長さ情報をＭＳ２に通知する。通常、ＢＳ１の第１の取得手段１００は、ＷＡＣ又は他の制御装置からプロトコルデータユニットの長さ情報を取得する。
【０１０７】
その後、ＢＳ１において、データパッケージ手段１０２は、ＭＳ２に送信すべきデータをバーストの各プロトコルデータユニットにカプセル化する。バーストがＢＳ１とＭＳ２との間の２つの論理接続のデータ、例えば論理接続ａ及びｂのデータを備える場合、ＢＳ１の第１の判定手段１０１は、論理接続ａ及びｂに対応するデータを同じ１つのプロトコルデータに割り振るかどうかを判定する。
【０１０８】
具体的には、第１の判定手段１０１は、第２の判定手段１０１１、及び第１の決定手段１０１２をさらに備える。第２の判定手段１０１１は、現在のプロトコルデータユニットの長さのマージン−割り当てるべき論理接続ａのデータ長が予め定められた値を超えるかどうかを判定するために使用される。本明細書における予め定められた値は、カプセル化ユニットにおけるサブヘッダーの長さを少なくとも超えるものとし、そうでない場合、現在のプロトコルデータユニットは、割り当てるべき論理接続ａに対応するカプセル化ユニットを運んだ後、より多くのカプセル化ユニットを運ぶことができないことを当業者は容易に理解できよう。第２の判定手段１０１１が、現在のプロトコルデータユニットの長さのマージン−割り当てるべき論理接続ａのデータ長が予め定められた値を超えることを決定した場合、第１の決定手段１０１２は、割り当てるべき論理接続ａのデータ、及び論理接続ｂのデータの少なくとも一部を現在のプロトコルデータユニットに割り当てることを決定する。第１の決定手段１０１２が、現在のプロトコルデータユニットの長さのマージン−割り当てるべき論理接続ａに対応するデータのカプセル化ユニットに必要なデータ長が予め定められた値を超えることを決定した場合、つまり、現在のプロトコルデータユニットの残りの割り当て可能なデータ長が予め定められた値を超える場合、現在のプロトコルデータユニットは、より多くのカプセル化ユニットを運ぶことができる。次いで、第２の判定手段１０１１は、論理接続ｂに対応するＳＤＵをカプセル化ユニットにパッケージするために必要なデータ長を、現在のプロトコルデータユニットの残りの割り当て可能なデータ長と比較する。現在のプロトコルデータユニットの残りの割り当て可能なデータ長が大きい場合、第１の決定手段１０１２は、論理接続ｂのＳＤＵ全体を現在のプロトコルデータユニットに割り当てる。それに対して、第１の決定手段１０１２は、接続ｂのＳＤＵのインターセプトフラグメントを現在のプロトコルデータユニットに割り当てることを決定し、通常、インターセプトされたフラグメントの長さは、現在のプロトコルデータユニットの残りの割り当て可能なデータ長に従って決定される。
【０１０９】
データパッケージ手段１０２は、各プロトコルデータユニットに割り当てられたデータパッケージに従ってパッケージする。データパッケージ手段１０２は、まず、ＳＣＩＤ情報がサブヘッダーに含まれる状態で、各データパッケージ及びそのサブヘッダーをカプセル化ユニットにパッケージし、次いで、ＭＳ  ＩＤ情報及びプロトコルデータユニットの長さ情報がプロトコルデータユニットのヘッダー内に含まれる状態で、各カプセル化ユニットを対応するプロトコルデータユニットのペイロードにパッケージする。ＭＳ  ＩＤ情報及びＳＣＩＤ情報は、カプセル化ユニットにおける関連のデータパッケージが対応する論理接続を一緒に示すために使用される。
【０１１０】
その後、ＢＳ１は、各プロトコルデータユニットを次々に連続して配列し、それらを先頭からバーストによって運ばれるデータに連続してマッピングする。
【０１１１】
ＭＳ２側で、ＤＬバーストを受信した後、ＭＳ２は、そこからデータを復調する。また、ＭＳ２によって、受信及び復調のためのパラメータが受信したＦＣＨにおけるＤＬ−ＭＡＰから取得される。
【０１１２】
ＭＳ２の第１の分解手段２００は、受信データからの各プロトコルデータユニットを構文解析する。
第１の分解手段２００は、第１のプロトコルデータユニットのヘッダーにおける対応する長さ情報に従って第１のプロトコルデータユニットを構文解析し、それに対応して、第２のプロトコルデータユニットのヘッダーを探す。次いで、第１の分解手段２００は、第２のプロトコルデータユニットのヘッダーにおける対応する長さ情報に従って第２のプロトコルデータユニットを構文解析し、それによって、第３のプロトコルデータユニットのヘッダーを探す。推論によって、第１の分解手段２００は、受信したバーストの全てのプロトコルデータユニットが分解されるまで構文解析を続ける。
【０１１３】
次いで、ＭＳ２のデータパッケージ識別手段２０１は、各カプセル化ユニットにおける対応するデータパッケージを識別する。
【０１１４】
図６又は図７に示されるサブヘッダー構造を参照すると、プロトコルデータユニットにおける各データパッケージを識別する過程で、まず、ＭＳ２のデータパッケージ識別手段２０１は、第１のカプセル化ユニットのサブヘッダーにおける対応するＬＥＮ情報に従って、第１のカプセル化ユニットのデータパッケージを識別し、それに対応して、第２のカプセル化ユニットのサブヘッダーを探す。次いで、データパッケージ識別手段２０１は、第２のカプセル化ユニットのサブヘッダーにおける対応するＬＥＮ情報に従って第２のカプセル化ユニットのデータパッケージを識別し、それによって、第３のカプセル化ユニットのサブヘッダーを探す。推論によって、ＭＳ２のデータパッケージ識別手段２０１は、プロトコルデータユニットの全てのデータパッケージが識別されるまで識別を続ける。
【０１１５】
次いで、ＭＳ２のマッピング手段２０２は、プロトコルデータユニットのヘッダーにおけるＭＳ  ＩＤ情報、及びプロトコルデータユニットの各データパッケージのサブヘッダーにおけるＳＣＩＤ情報に従って、各データパッケージをその対応する論理接続にマッピングする。
【０１１６】
ＢＳ１からＭＳ２へのＤＬバーストを例にとり、ＢＳ１及びＭＳ２によってバーストに適用されるそれぞれの処理について、上記のように説明した。
【０１１７】
本発明の別の態様の別の実施形態によれば、ＭＳによって排他的に使用されるようにバーストを割り当てることができる。例えば、ＢＳ１は、ＢＳ１によって送信されるフレーム制御ヘッダーのＤＬ−ＭＡＰ又はＵＬ−ＭＡＰにおいて、ＭＳ２に割り当てられるＵＬ／ＤＬバーストによって占有される時間−周波数リソースブロックを指定し、つまり、ＭＳ２は、ＦＣＨを受信した後、そのＵＬ／ＤＬバーストによって排他的に占有される時間−周波数リソースブロックについて通知される。本明細書において、より多くのシステムオーバーヘッドを省くように、プロトコルデータユニットのヘッダーにおけるＭＳ  ＩＤ情報をさらに削除することができる。
【０１１８】
本発明の好ましい実施形態によれば、ＢＳ１は、所与の長さの値に従ってＭＳ２に送信すべきＤＬバースト内の各プロトコルデータユニットを分割する。
【０１１９】
例えば、ＤＬバーストで運ばれるデータの合計長さはＴバイトであり、所与の値はＳである。バーストの先頭から数えて、各Ｓバイトは、ＢＳ１によって、分割がＴバイトの最後に適用されるまで、１つのプロトコルデータユニットとして分割される。ＴがＳでちょうど割れない場合があるため、最後のプロトコルデータユニットは、Ｓバイト未満であり得る。
【０１２０】
具体的には、ＢＳ１の第１の取得手段１００は所与の値を取得し、ＦＣＨを介してそれについてＭＳ２に通知する。一般に、Ｓの所与の値は、無線アクセスコントローラ又は他のアクセス制御装置によって決定することができ、次いで、ＢＳ１の第１の取得手段１００は、無線アクセスコントローラ又は他のアクセス制御装置から所与の長さの値を取得する。確かに、ＢＳ１は、自力で所与の長さの値を決定することもできる。また、Ｓの所与の値は、固定でもよく、又はチャネル状態の変化に従って調整されてもよい。通常、Ｓの所与の値は、図２に示すように、各フレームにおいて、１つのＰＨＹデータフレームの持続時間により定期的に調整されてもよい。所与の値は、通常、ＦＣＨのＤＬ−ＭＡＰ又はＵＬ−ＭＡＰに含まれる。１つのフレーム内のバーストごとの個々の所与の値は、同じであっても、又は異なっていてもよい。言い換えると、プロトコルデータユニットは、ＭＳ２に対応するＵＬバースト及びＤＬバーストについて異なる所与の値によって分割することができる。ＭＳ２に対応するＵＬバーストでは、プロトコルデータユニットの分割はＭＳ２によって実行され、使用される所与の値は受信したＦＣＨから取得される。また、所与の値Ｓは、フレームの１つの特定のバーストについて固定される。
【０１２１】
ＭＳ２の第１の分解手段２００は、第２の取得手段２００１、第２の分解手段２００２をさらに備える。ＭＳ２がＦＣＨを受信した後、第２の取得手段２００１はＦＣＨから所与の値を取得する。ＭＳ２は、ＤＬバーストを受信した後、そこから受信データを復調する。また、ＭＳ２によって、受信及び復調のためのパラメータが受信したＦＣＨにおけるＤＬ−ＭＡＰから取得される。受信データの先頭データから、ＭＳ２の第２の分解手段２００２は、受信データの分割が終了するまで、又は残りのデータの長さが所与の長さ未満となるまで、所与の値の長さの各データチャンクをセグメントに分割する。第２の分解手段２００２は、各データセグメントをプロトコルデータユニットにそれぞれ構文解析するために使用される。受信データの合計長さが所与の値未満である場合、ＭＳ２の第２の分解手段２００２は、受信データを単一のプロトコルデータユニットに構文解析する。
【０１２２】
ＭＳ２からＢＳ１へのＵＬバーストの場合、ＭＳ２のデータ構成装置１０は、ＵＬバーストにおける各プロトコルデータユニットを生成し、ＢＳ１がＵＬバーストを受信し、対応する受信データを復調した後、そのデータ構文解析装置２０は、受信データからの対応するサービスデータを構文解析する。ＢＳ１及びＭＳ２によってＵＬバーストに適用されるそれぞれの処理は、バーストＢＳ１及びＭＳ２によってＤＬバーストに適用される上述した処理に似ている。上述した説明を参照すれば、当業者なら、バーストＢＳ１及びＭＳ２によってＵＬバーストにそれぞれ適用される処理を容易に理解することができ、本明細書では余分に説明することはしない。
【０１２３】
上記では本発明の実施形態について説明してきた。本発明は、上記の特定の実施形態、特定のシステム、装置、及びプロトコルに限定されないことを、当業者であれば理解されよう。添付の特許請求の範囲によって定義される範囲から逸脱することなく、当業者によって様々な修正又は変更を加えることができる。
【図１】
2011527535.tif 000015
【図２】
2011527535.tif 000016
【図３】
2011527535.tif 000017
【図４】
2011527535.tif 000018
【図５】
2011527535.tif 000019
【図６】
2011527535.tif 000020
【図７】
2011527535.tif 000021
【図８】
2011527535.tif 000022
【図９】
2011527535.tif 000023
【図１０】
2011527535.tif 000024
【手続補正書】
【提出日】平成23年3月16日(2011.3.16)
【手続補正１】
【補正対象書類名】特許請求の範囲
【補正対象項目名】全文
【補正方法】変更
【補正の内容】
【特許請求の範囲】
【請求項１】
無線ネットワークのネットワーク装置においてプロトコルデータユニットを構成するための方法であって、
ａ．同相手方装置に送信すべき異なる論理接続のデータを現在のプロトコルデータユニットに割り当てるかどうかを判定するステップ、
ｂ．前記同相手方装置に送信すべき異なる論理接続の前記データが前記現在のデータプロトコルユニットに割り当てられる必要がある場合、前記同相手方装置に送信すべき異なる論理接続の前記データ、及び前記論理接続を示すための接続識別子情報を前記現在のプロトコルデータユニットにパッケージするステップ
を備える方法。
【請求項２】
請求項１記載の方法であって、前記異なる論理接続が第１の論理接続及び第２の論理接続を備え、
ステップａの前に、前記方法が
Ｉ．バーストで運ばれる少なくとも１つのプロトコルデータユニットの長さ情報を取得するステップをさらに備え、
前記ステップが
ａ１．前記現在のプロトコルデータユニットの長さのマージン−割り当てるべき前記第１の論理接続のデータ長が予め定められた値を超えるかどうかを判定するステップ、
ａ２．前記現在のプロトコルデータユニットの長さの前記マージン−割り当てるべき前記第１の論理接続のデータ長が前記予め定められた値を超える場合、割り当てるべき前記第１の論理接続の前記データ、及び前記第２の論理接続のデータの少なくとも一部を前記現在のプロトコルデータユニットに割り当てることを決定するステップ
をさらに備える方法。
【請求項３】
請求項２記載の方法であって、前記ステップＩが
前記バーストによって運ばれるデータの所与の値及び合計長さに基づいて、前記バーストで運ばれる各プロトコルデータユニットの前記長さ情報を決定するステップを備え、
前記バーストにおける第１のＭ個のプロトコルデータユニットの長さ情報が前記所与の値として決定され、前記バーストにおける最後のＮ個のプロトコルデータユニットの長さ情報がＯとして決定され、Ｏ、Ｍ、及びＮが以下の式によって提供され、
【数１】
2011527535.tif 000025
【数２】
2011527535.tif 000026
Ｏ＝Ｔ−Ｓ×Ｍ
Ｔが前記バーストで運ばれたデータの前記合計長さであり、Ｓが前記所与の値であり、
【数３】
2011527535.tif 000027
が切り上げ丸め処理のファンクタであり、
【数４】
2011527535.tif 000028
が切り下げ丸め処理のファンクタである、
方法。
【請求項４】
請求項２又は３記載の方法であって、前記ネットワーク装置が基地局であり、前記バーストが移動局に送信すべきデータを運ぶためのダウンリンクバーストであり、前記現在のプロトコルデータユニットが前記移動局の特徴情報を備えていない方法。
【請求項５】
請求項２又は３記載の方法であって、前記ネットワーク装置が基地局であり、前記バーストが少なくとも１つの移動局に送信すべきデータを運ぶためのダウンリンクバーストであり、
前記ステップｂが
前記現在のプロトコルデータが対応する前記移動局の特徴情報を前記現在のプロトコルデータユニットにパッケージするステップをさらに備え、
前記接続識別子情報が、前記移動局の前記特徴情報に関連付けられる、対応するデータの論理接続を示すためのアシスタント指示情報を備える、
方法。
【請求項６】
請求項２又は３記載の方法であって、
前記ネットワーク装置が移動局であり、前記バーストがアップリンクバーストであり、前記現在のプロトコルデータユニットが前記移動局の特徴情報を備えていない方法。
【請求項７】
請求項２又は３に記載の方法であって、前記ネットワーク装置が移動局であり、前記バーストがアップリンクバーストであり、
前記ステップｂが
前記移動局の前記特徴情報を前記現在のプロトコルデータユニットにパッケージするステップをさらに備え、
前記接続識別子情報が、前記移動局の前記特徴情報に関連付けられる、対応するデータの論理接続を示すためのアシスタント指示情報を備える、
方法。
【請求項８】
無線ネットワークのネットワーク装置において受信したバーストから復調された受信データを構文解析するための方法であって、
Ａ．前記受信データをプロトコルデータユニットに分解するステップ、
Ｂ．前記データパッケージの長さ情報に従って、前記プロトコルデータユニットにおけるデータパッケージを識別するステップ、
Ｃ．前記データパッケージの接続識別子情報に従って、前記データパッケージを対応する論理接続にマッピングするステップ
を備える方法。
【請求項９】
請求項８記載の方法であって、
前記ステップＣが
移動局の特徴情報、及び前記プロトコルデータユニットにおける前記データパッケージの前記接続識別子情報に従って、プロトコルデータユニットにおけるデータパッケージを対応する論理接続にマッピングするステップをさらに備え、
前記接続識別子情報が、前記移動局の前記特徴情報に関連付けられる、対応するデータの論理接続を示すためのアシスタント指示情報を備える、
方法。
【請求項１０】
請求項８又は９記載の方法であって、前記ステップＡが
ｉ．所与の値を取得するステップ、
ｉｉ．前記受信データの合計長さが前記所与の値以上である場合、前記受信データをセグメントに分割し、前記セグメントをプロトコルデータユニットとして認識するステップであって、最後のセグメントの長さが前記所与の値以下であり、他のセグメントの長さが前記所与の値に等しい、ステップ、又は
ｉｉ’．前記受信データの合計長さが前記所与の値未満である場合、前記受信データを１つのプロトコルデータユニットとして認識するステップ
をさらに備える方法。
【請求項１１】
無線ネットワークのネットワーク装置においてプロトコルデータユニットを構成するためのデータ構成装置であって、
同相手方装置に送信すべき異なる論理接続のデータを現在のプロトコルデータユニットに割り当てるかどうかを判定するための第１の判定手段、
前記同相手方装置に送信すべき異なる論理接続の前記データが前記現在のデータプロトコルユニットに割り当てられる必要がある場合、前記同相手方装置に送信すべき異なる論理接続の前記データ、及び前記論理接続を示すための接続識別子情報を前記現在のプロトコルデータユニットにパッケージするためのデータパッケージ手段
を備えるデータ構成装置。
【請求項１２】
請求項１１記載のデータ構成装置であって、前記異なる論理接続が第１の論理接続及び第２の論理接続を備え、
前記データ構成装置が
バーストで運ばれる少なくとも１つのプロトコルデータユニットの長さ情報を取得するための第１の取得手段をさらに備え、
前記第１の判定手段が
前記現在のプロトコルデータユニットの長さのマージン−割り当てるべき前記第１の論理接続のデータ長が予め定められた値を超えるかどうかを判定するための第２の判定手段、
前記現在のプロトコルデータユニットの長さの前記マージン−割り当てるべき前記第１の論理接続のデータ長が前記予め定められた値を超える場合、割り当てるべき前記第１の論理接続の前記データ、及び前記第２の論理接続のデータの少なくとも一部を前記現在のプロトコルデータユニットに割り当てることを決定するための第１の決定手段
をさらに備える、
データ構成装置。
【請求項１３】
請求項１２記載のデータ構成装置であって、前記第１の取得手段が、前記バーストによって運ばれるデータの所与の値及び合計長さに基づいて、前記バーストで運ばれる各プロトコルデータユニットの前記長さ情報を決定するためにさらに使用され、
前記バーストにおける第１のＭ個のプロトコルデータユニットの長さ情報が前記所与の値として決定され、前記バーストにおける最後のＮ個のプロトコルデータユニットの長さ情報がＯとして決定され、Ｏ、Ｍ、及びＮが以下の式によって提供され、
【数５】
2011527535.tif 000029
【数６】
2011527535.tif 000030
Ｏ＝Ｔ−Ｓ×Ｍ
Ｔが前記バーストで運ばれたデータの前記合計長さであり、Ｓが前記所与の値であり、
【数７】
2011527535.tif 000031
が切り上げ丸め処理のファンクタであり、
【数８】
2011527535.tif 000032
が切り下げ丸め処理のファンクタである、
データ構成装置。
【請求項１４】
無線ネットワークのネットワーク装置において、受信したバーストから復調された受信データを構文解析するためのデータ構文解析装置であって、
前記受信データをプロトコルデータユニットに分解するための第１の分解手段、
前記データパッケージの長さ情報に従って、前記プロトコルデータユニットにおけるデータパッケージを識別するためのデータパッケージ識別手段、
前記データパッケージの接続識別子情報に従って、前記データパッケージを対応する論理接続にマッピングするためのマッピング手段
を備えるデータ構文解析装置。
【請求項１５】
プロトコルデータユニットを構成するための請求項１１乃至１３のいずれか１項に記載のデータ構成装置、及び／又は受信したバーストから復調された受信データを構文解析するための請求項１４に記載のデータ構文解析装置を備える無線ネットワークにおけるネットワーク装置。
【国際調査報告】
2011527535.tif 000033
2011527535.tif 000034
2011527535.tif 000035
2011527535.tif 000036